(57)【特許請求の範囲】
【請求項１】
容器本体と排出ポンプ及び移動式の底部を備え、ポンプ操作による内容物排出に伴い排出された容積分底部が上昇移動することにより容器本体内に空気層を形成しないように構成したポンプ容器において、主容器と、主容器の上部に分離手段により主容器と分離されるとともに中央部にポンプを嵌め込み可能に形成した副容器を備えるとともに、当該分離手段は主容器及び副容器を連通せしめる連通手段をも兼ね備え、分離状態と連通状態とが切り替え可能であり、分離状態においては混合通孔に設けた密閉リングまたはガスケットにより主内容物の漏洩を防止し、連通状態において副容器内の内容物が主容器内に流入し双方の内容物を混合することができることを特徴とする内容物の混合構造を有する包装容器。
【請求項２】
容器本体と排出ポンプ及び移動式の底部を備え、ポンプ操作による内容物排出に伴い排出された容積分底部が上昇移動することにより容器本体内に空気層を形成しないように構成したポンプ容器において、主容器と、主容器の上部に分離手段により主容器と分離されるとともに中央部にポンプを嵌め込み可能に形成した副容器を備えるとともに、当該分離手段は主容器及び副容器を連通せしめる連通手段をも兼ね備え、分離状態と連通状態とが切り替え可能であり、分離状態においては混合通孔に設けた密閉リングまたはガスケットにより主内容物の漏洩を防止し、流通過程では分離状態を維持し、使用時には一旦連通状態にして副容器内の内容物を主容器内に流入せしめて双方の内容物を混合し、再び分離状態に戻して使用するものであることを特徴とする内容物の混合構造を有する包装容器。
【請求項３】
柔軟性を備えた容器本体と排出ポンプを備え、容器本体はポンプ操作による内容物排出に伴い内部に生ずる負圧により復元力を失う程度の弾性を備えたチューブまたは袋容器であるポンプ容器において、主容器と、主容器の上部に分離手段により主容器と分離されるとともに中央部にポンプを嵌め込み可能に形成した副容器を備えるとともに、当該分離手段は主容器及び副容器を連通せしめる連通手段をも兼ね備え、分離状態と連通状態とが切り替え可能であり、分離状態においては混合通孔に設けた密閉リングまたはガスケットにより主内容物の漏洩を防止し、連通状態において副容器内の内容物が主容器内に流入し双方の内容物を混合することができることを特徴とする内容物の混合構造を有する包装容器。
【請求項４】
柔軟性を備えた容器本体と排出ポンプを備え、容器本体はポンプ操作による内容物排出に伴い内部に生ずる負圧により復元力を失う程度の弾性を備えたチューブまたは袋容器であるポンプ容器において、主容器と、主容器の上部に分離手段により主容器と分離されるとともに中央部にポンプを嵌め込み可能に形成した副容器を備えるとともに、当該分離手段は主容器及び副容器を連通せしめる連通手段をも兼ね備え、分離状態と連通状態とが切り替え可能であり、分離状態においては混合通孔に設けた密閉リングまたはガスケットにより主内容物の漏洩を防止し、流通過程では分離状態を維持し、使用時には一旦連通状態にして副容器内の内容物を主容器内に流入せしめて双方の内容物を混合し、再び分離状態に戻して使用するものであることを特徴とする内容物の混合構造を有する包装容器。
【請求項５】
上記主容器と副容器はそれぞれ別体に形成された円柱型容器であり、同一中心線をもって間にシール部材を挟んで直列に設けられるとともに同軸に相互に回動可能であり、相互に向き合って設けた開口が回動操作により合致または非合致することで開口及び閉口状態を切り替え可能としたことを特徴とする請求項１または４のいずれかに記載の内容物の混合構造を有する包装容器。
【発明の詳細な説明】
【０００１】
【発明が属する技術分野】
本発明は内容物混合構造を有する包装容器に関するものである。
【０００２】
【従来の技術】
昨今、いわゆるバイオ化粧品と言われる商品が製造され、流通するようになった。一般的にバイオ化粧品とは、生物が自然に作り出す成分をバイオテクノロジーを利用して生産し、その成分を含有させた化粧品のことである。バイオテクノロジーとは、遺伝子の組み替えや融合、大量複製技術であるクローン技術などによって新たな生命体を作り、食料品や医薬品生産などに役立つように使用しようという新たな技術のことである。
【０００３】
このようなバイオテクノロジーを応用してバイオテクノロジーの基本技術である組織培養によって以前は少量しか抽出できなかった動植物の有効成分を大量生産できるようになっており、それらの成分を皮膚に適するように配合した化粧品開発が行われている。
【０００４】
例えば、紫草の根（紫根）から流出する色素であるシコニンを配合した口紅は、従来ごく少量しか入手できなかったシコニンを植物培養を利用して大量生産し商品化に成功した例である。
【０００５】
また、皮膚の真皮層を構成し皮膚の保湿機能を高める成分であるヒアルロン酸やγリノレン酸を配合したバイオ美容液もある。これらの成分も高生産性の突然変異株を利用することによって商品化されたものである。このようなバイオ化粧品は、人工的に合成した従来の化粧品とは異なり、生物が自然に作り出す物質を応用したものであり、人体に害がなく安全なことが特徴である。
【０００６】
また、需要者からも自然化粧品であるという良い評価を受けており、皮膚によい影響を与える成分を生命工学技術である複製、即ちクローンを利用して培養した後に化粧品に使用できるため、色調化粧のための皮膚管理が主目的の消極的概念の一般化粧品とは異なり、機能性化粧品として皮膚バランスの維持を通じて皮膚管理は勿論、角質・拡大した毛穴、小じわ、しみ、ほこりなどの多様な皮膚の問題を改善できる積極概念の化粧品としての長所も有している。
【０００７】
このようなバイオ化粧品などの機能性化粧品は、少量でも希望の効果が得られるため、少量の主成分である主内容物を多量の補助成分である補助内容物と混合して使用するのが普通である。
【０００８】
【発明が解決しようとする課題】
しかし、このような機能性化粧品を従来のクリームのような化粧品類やジェル状態のシャンプー及びリンス、水石鹸のような洗剤類などのように主内容物を補助内容物と混合した状態で販売すると、直射光線や環境に影響を受ける主内容物は即時に反応して内容物の補助期間が極めて短くなり、この結果、製品の流通期間が短縮されて消費者が購入するにはあまりにも高価になるという問題点があった。
【０００９】
即ち、一例として主内容物のひとつとして化粧品にレチノール（Retinol、ビタミンＡ）を補助内容物と混合した状態で流通させて販売する場合には、主内容物である化粧品と補助内容物であるレチノールを別に保管して使用するよりも流通期間が短く限定されるという問題点があった。
【００１０】
また、従来の主成分と補助成分が混合された化粧品などの包装容器は、その内部に受容されたすべての液状内容物を排出して使用できないことから、使用者は液状内容物が容器内部にまだ多少残っているにもかかわらず、新しいものを購入したり、或いはそのまま捨てるということが頻繁に発生し、国家的には環境汚染の原因となる廃棄物を量産するようになると同時に、一部を更に使用できるにもかかわらずそのまま廃棄することによって家庭においても経済的な不利益を被るなどの問題点があった。
【００１１】
さらに、従来の化粧品容器は内部に空気層が形成されているため、空気側と接している化粧品は簡単に変質し、このような変質した化粧品を知らずに使用した使用者は皮膚を損傷する心配があり、このような状態で長期間使用しない場合、ひどいケースでは化粧品の酸化と腐敗が進行して使用できずに捨てるほかなくなるという問題点があった。
【００１２】
そこで本発明は上記のような従来の問題点を解決するためのものであるとともに、包装容器の主内容物と補助内容物を１つの包装容器において分離し互いに別に保管された状態で流通させ、必要時にのみ主内容物と補助内容物を互いに混合して使用することにより、製品の流通期間を延長できるのみならず、包装容器の内部に別に貯蔵された補助内容物を残すことなく完全に主内容物と混合して排出することによってより、経済的に使用できると共に製品の信頼性を向上させることができ、これによる環境汚染の発生を事前に予防できる内容物混合構造を有する包装容器を提供することを目的とするものである。
【００１３】
【課題を解決するための手段】
このような目的を達成するためにこの発明の内容物混合構造を有する包装容器は、容器本体と排出ポンプ及び移動式の底部を備え、ポンプ操作による内容物排出に伴い排出された容積分底部が上昇移動することにより容器本体内に空気層を形成しないように構成したポンプ容器において、主容器と、分離手段により主容器と分離された副容器を備えるとともに、当該分離手段は主容器及び副容器を連通せしめる連通手段をも兼ね備え、分離状態と連通状態とが切り替え可能であり、連通状態において副容器内の内容物が主容器内に流入し双方の内容物を混合することができることを特徴とするものである。
【００１４】
またこの発明の内容物混合構造を有する包装容器は、容器本体と排出ポンプ及び移動式の底部を備え、ポンプ操作による内容物排出に伴い排出された容積分底部が上昇移動することにより容器本体内に空気層を形成しないように構成したポンプ容器において、主容器と、分離手段により主容器と分離された副容器を備えるとともに、当該分離手段は主容器及び副容器を連通せしめる連通手段をも兼ね備え、分離状態と連通状態とが切り替え可能であり、流通過程では分離状態を維持し、使用時には一旦連通状態にして副容器内の内容物を主容器内に流入せしめて双方の内容物を混合し、再び分離状態に戻して使用するものであることを特徴とするものである。
【００１５】
さらに上記主容器と副容器はそれぞれ別体に形成された円柱型容器であり、同一中心線をもって間にシール部材を挟んで直列に設けられるとともに同軸に相互に回動可能であり、相互に向き合って設けた開口が回動操作により合致または非合致することで開口及び閉口状態を切り替え可能としたことをも特徴とするものである。
【００１６】
さらにまたこの発明の内容物混合構造を有する包装容器は、柔軟性を備えた容器本体であることをも特徴とするものである。
【００１７】
【発明の実施の形態】
【実施例１】
以下、この発明の内容物混合構造を有する包装容器（以下、この容器）を添付図面により詳細に説明する。
【００１８】
図１はこの容器の第一の実施例を示す縦断面図であり、流通時の形態を示している。この容器１は、ハウジング２、主内容物充填手段３及びポンプ部材４とで構成され、ポンプ部材４にはキャップ５が被せられている。
【００１９】
ハウジング２は底を形成する下端に通孔６が形成されているとともに上端が開放された細長いカップ状の円筒型容器である。このハウジング２は、合成樹脂などで形成されることが望ましい。後述する作動支持管８及び主内容物充填管１４等も同様である。
【００２０】
ハウジング２の内側面には密閉状態で密着し昇降する移動可能な底７が摺動自在に設けられている。移動底７は、その周面が内壁面に密着するゴムのような弾性材質で形成されていて、ハウジング２の内側面との密着面から容器内部の内容物が漏洩しないシール性を備えている。そして当初ハウジング２の内部下端に位置せしめ、使用時にハウジング２内部の混合内容物がポンプ操作で外部に排出されることによって消費される分量に応じてハウジング２の内側面を上方に移動するようになっている。つまり底が移動しないとした場合に生ずるハウジング２内の負圧により引き上げられるものであり、ハウジング２内部に空気層の形成されることを防止するものである。
【００２１】
ハウジング２の上端開口部には、作動支持管８が嵌め込まれている。図２乃至図４はそれぞれ作動支持管８の縦断面図、平面図及び底面図である。作動支持管８は上端が開口し底部を有するハウジング２よりも浅いカップ状の管体に形成されるとともに、その外側端は外部に突出したフランジ部９を形成している。底部平面の中心にはポンプ部材４の下端が嵌る流出孔１０が形成されており、その脇には流出孔１０と内壁との間において流通孔１０と連通しない位置に混合通孔１１が形成されている。混合通孔１１の上端部には密閉リング１２が結合され、後述する主内容物充填管１４との結合時に充填凹部１５の主内容物Ａが外部に流出しないようにしている。また、一方には上方に突出した突起１３が形成されており主内容物充填管１４の下端で作動支持管８の回動幅を限定するようになっている。また、底部外周には、ハウジング２と嵌り合って相互の回動を規制するスプライン状の嵌合溝（または突起）が全周に亘って形成されている。もちろん前記ハウジング２にもこの嵌合溝（または突起）に適合する図示しない嵌合突起（または溝）が形成されている。
【００２２】
そしてこの作動支持管８の内部にさらに主内容物充填管１４が嵌め込まれている。図５乃至図７はそれぞれこの容器の主内容物充填管１４の縦断面図、平面図及び底面図である。図５に示すように主内容物充填管１４は、作動支持管８よりもやや深い管体に形成されていて、中央部にポンプ部材４の支持管２２が嵌り込む管差込孔１６が形成されている。そしてこの管差込部をもって内壁が二重に形成され、図７に示すようにその一部がさらに仕切られて部屋として形成し主内容物Ａが充填される充填凹部１５が形成されている。この充填凹部１５には底部がなく、開口２０が設けられている。また、上部は段付き部１７を介して下部よりも大きい直径の大径部１８が形成され、さらに後述する支持管２２が嵌り合う突条１９が全周にわたって形成されている。図７において２１は平面部であり、上記作動支持管８の混合通孔１１と重なり合った際に、混合通孔１１を閉口するようになっている。
【００２３】
そして上記作動支持管８に密着しながらも回動自在に主内容物充填管１４が嵌め込まれて主内容物充填手段３が構成されている。したがってこの主内容物充填手段３が主内容物Ａを充填する副容器を形成するとともに、ハウジング２で形成される主容器との分離手段及び連通手段を切り替え可能に構成している。
【００２４】
さらに主内容物充填手段３の大径部１８を覆うように形成されたポンプ部材４の支持管２２が嵌め合わされている。図８乃至図１０はそれぞれこの支持管２２の縦断面図、平面図及び底面図である。そしてこの支持管２２の上部には上下方向に形成され、外部圧力によって混合内容物Ｃを外部に放出するポンプ部材４が設けられ、さらにポンプ部材４を保護するキャップ５が被せられている。キャップ５は合成樹脂材質であって、支持管２２の外側面に密着固定されることによって容器１の保管時に外部から不純物がポンプ部材４内部に流入することを防止する。また図８において２３は図１に示すポンプヘッド２４のストロークガイドとなる内径部であり、２４はそのストッパである。
【００２５】
そして内容物充填手段３の充填凹部１５には主内容物Ａが、及びハウジング２内には補助内容物Ｂが充填されている。主内容物充填管１４の充填凹部１５に充填される主内容物Ａとしては、ビタミンＣや足部潰瘍治療剤（E.F.G）などであって、このような主内容物Ａはアルカリや水分及び紫外線によって簡単に変形乃至変質する物質であるため、顆粒や微粒子のパウダーとして形成するのが望ましい。また、補助内容物Ｂとしては蒸留水やアルコールなどの液状物を使用する。
【００２６】
以上のように構成したこの包装容器の使用に際しては次のとおりである。
【００２７】
この包装容器１の組み立て作業時には、まず、支持管２２の内側にポンプ部材４を結合した後に、支持管２２の上端にキャップ５を結合し、支持管２２の下端内側に主内容物充填管１４の上端を押圧差し込みし、ポンプユニットを構成する。
【００２８】
この状態でポンプユニットを、下端に向かって開放された充填凹部１５の開口２０が上向きになるように反転させた後に、主内容物充填管１４の充填凹部１５内側にビタミンＣなどのパウダー状の主内容物Ａを充填する。そして、１８０度反転している支持管２２の上端に、反転させた作動支持管８を押圧差し込むとともに、この際、流通時における主内容物充填管１４と作動支持管８の位置を表す要部平面図である図１１に示すように、作動支持管８の混合通孔１１が主内容物充填管１４の開口部２０を外れ、平面部２１に合致する位置にして充填凹部１５を密閉する。つまり混合通孔１１の下端は作動支持管８の密閉リング１２によって頑強に密閉されるため、主内容物充填管１４の充填凹部１５内側の主内容物Ａはまったく流出することなく保管される。
【００２９】
次に、ハウジング２の内側下端に移動底７を配置し、作動支持管８の下端面の位置までハウジング２内側面に蒸留水のような液状の補助内容物Ｂを充填する。そして補助内容物Ｂが充填されたハウジング２の上端に支持管２２及び主内容物充填管１４が締結された作動支持管８の下端を押圧差し込みして密閉すると完成である。
【００３０】
このとき、補助内容物Ｂの充填量は、補助内容物Ｂが嫌気性で空気に触れると変質しやすい性質を有するもの、または補助内容物Ｂに完全に溶解するものであって混合内容物の容量が元の補助内容物Ｂの容量から変化しないものであればハウジング２内部に空気層が形成されないようにハウジング２から溢れ出ない程度の高さを維持することが望ましいが、そうでない場合、例えば主内容物Ａが液体であって補助内容物Ｂと混合した際に容量が増える場合は、充填凹部１５内の主内容物Ａの容量と同容積の空気層を形成するものとしてもよい。
【００３１】
このように組み立てられたこの容器１は、使用者が購入する前には図１のようにハウジング２内部の補助内容物Ｂと主内容物充填管１４の充填凹部１５の主内容物Ａは作動支持管８によって互いに分離された状態で流通する。
【００３２】
これを使用者が購入し、この容器１を使用するためには、ハウジング２を片手で持ち、もう一方の手で支持管２２の外周部２５を回動させる。図１２はこの容器の混合時における主内容物充填管１４と作動支持管８の回動位置を表す要部平面図である。図に示すように、作動支持管８の混合通孔１１は充填凹部１５下端の開口部２０に位置することで連通し充填凹部１５の密閉が解かれる。そして充填凹部１５に充填された主内容物Ａは、図１３に示すように混合通孔１１を通じてハウジング２内に流入するするので、補助内容物Ｂと混合して混合内容物Ｃが生成される。混合内容物Ｃを迅速に混合するには、使用者はハウジング２を上下方向に何回か振ればよい。そして再び支持管２２の外周部２５を回動させて作動支持管８を回動せしめ、混合通孔１１を主内容物充填管１４の平面部２１に適合させることで混合通孔１１は閉鎖され充填凹部１５は密閉される。
【００３３】
以上のように構成することにより、ハウジング２の内部には空気層がなく、混合内容物Ｃが簡単に変質又は腐敗することがなくなる。
【００３４】
図１４はこの容器の使用時の形態をあらわす縦断面図である。そしてポンプ部材４を押して混合内容物Ｃを排出させればよい。
【００３５】
ところが、前述のように両内容物を混合した際に、混合内容物Ｃの容量が元の補助内容物Ｂの容量よりも増える場合は、混合内容物Ｃが主内容物充填管１４の充填凹部１５の内側にも存在することになるため、別に充填凹部１５に空気を充填する手段を設けて、充填凹部１５の容積分の空気を流入させた後、再度作動支持管８を回動して主内容物充填管１４の充填凹部１５を密閉した状態で使用するようにすることも必要になる。そうすることによって充填凹部１５に最後に残った混合内容物Ｃまで残すことなく使用できるようになる。
【００３６】
【実施例２】
図１５はこの容器の第２の実施例であり、流通時の形態を表す縦断面図である。
【００３７】
第２の実施例のこの容器１の内容物充填手段３は、前記実施例１よりも容量の大きい主内容物充填管１４を備えている。作動支持管８の混合通孔１１の閉鎖機構としては、作動支持管８と主内容物充填管１４との間に主内容物充填管１４と同伴回動するガスケット２８を介在させている。
【００３８】
図１６及び１７はそれぞれ作動支持管８の平面図及び縦断面図である。図１７に示すように作動支持管８はカップ状に形成されており、底部平面の中心にはポンプ部材４の下端が嵌る流出孔１０が形成されているとともに、その脇には流出孔１０と内壁との間において流通孔１０と連通しない位置に混合通孔１１が形成されている。上部は外側に拡大する大径部９を形成していて、支持管２２と一緒に回動するものである。また、前記実施例１と同様に、底部外周には、ハウジング２と嵌り合って相互の回動を規制するスプライン状の嵌合溝（または突起）が全周に亘って形成されている。もちろん前記ハウジング２にもこの嵌合溝（または突起）に適合する図示しない嵌合突起（または溝）が形成されている。
【００３９】
図１８及び１９は主内容物充填管１４の平面図及び縦断面図である。図１９に示すように、主内容物充填管１４はカップ状に形成され、その中央部にポンプ部材４が挿入される筒状部を備え、その筒状部によって内部に環状の充填凹部１５を形成している。また頂部外周には、前記作動支持管８と同様に支持管２２と嵌り合って相互の回動を規制するスプライン状の嵌合溝（または突起）が全周に亘って形成されている。もちろん前記支持管２２の内周にもこの嵌合溝（または突起）に適合する図示しない嵌合突起（または溝）が形成されている。
【００４０】
そしてこの主内容物充填管１４内に主内容物Ａが充填されるが、主内容物Ａは液状で使用することもできるが、できるだけ微粒子で構成し、液状の補助内容物Ｂとの混合時に混合内容物Ｃがハウジング２の上端を若干溢れる程度に構成してハウジング２の密閉時にハウジング２内部に空気が流入しないようにすることが望ましい。
【００４１】
図２０及び２１はそれぞれガスケットアダプタ２７の平面図及び縦断面図である。ガスケットアダプタ２７は円板形状に形成されてなり、ガスケット２８の結合孔２９の延長線上に当たる中心部に差込孔３４が形成されているとともに、ガスケット２８の作動通孔３１の延長線上に当たる差込孔３４と周縁部との間に流通孔３５が形成されている。周縁部下端には下方に突出しガスケット２８の引掛凹部３３に引掛固定される引掛突起３６が形成されている。そして主内容物充填管１４の下端内側に嵌め込まれて底部を構成し、ガスケット２８がこれを被覆するように設けられて主内容物充填管１４と同伴回動する。
【００４２】
図２２乃至２４はそれぞれガスケット２８の平面図、正面図及び縦断面図である。ガスケット２８は円板形状に形成されていて、主内容物充填管１４の流出口１６が押圧差し込みされる結合孔２９が形成されているとともに、周縁部の上端は上部に折れ曲がるように突出し、主内容物充填管１４の下端外周縁に結合する結合突条３０が形成されている。ガスケット２８の材質としてはシリコンゴムなどの弾性体が好適である。また、結合孔２９と周縁部の間には作動通孔３１が形成されるとともに、その反対側底面には下方に肉盛部３２が突出するように形成されている。この肉盛部３２は作動支持管８の混合通孔１１上端に位置し、一部が混合通孔１１内部に進入するように突出したものであって、容器１の流通時に不注意によって支持管２２が毀損されないように作動支持管８内側面とガスケット２８を密着させる役割を担当する。上面の結合突条３０の内側には下方に引掛凹部３３が多数（図では４つ）形成されている。  そしてこのガスケット２８は主内容物充填管１４の下端と作動支持管８の内側底面の間を密閉し、主内容物充填管１４と同伴回動する。
【００４３】
以上のように構成したこの容器１は、図１５に示すようにハウジング２の補助内容物Ｂと主内容物充填管１４の充填凹部１５の主内容物Ａが互いに分離された状態で流通し販売される。
【００４４】
使用するときには、使用者が片手でハウジング２を持ちながらもう一方の手で支持管２２の外周縁２５を掴んで略１８０度程度回動させればよい。このとき、支持管２２の回動によって支持管２２の内側面と上方外面が結合した主内容物充填管１４は、下端に結合したガスケットアダプタ２７とガスケット２８を作動支持管８の内側面で同伴回動させ、作動支持管８の混合通孔１１とガスケット２８の作動通孔３１及びガスケットアダプタ２７の流通孔３５が一直線上に位置することとなる。すると図２５に示すように充填凹部１５の底面が開口するため主内容物Ａがハウジング２内に流れ込み互いに混合される。
【００４５】
この状態で使用者はこの容器１を振って混合を極大化し、図２６のように支持管２２を再び回動させて主内容物充填管１４の充填凹部１５を閉じてハウジング２と分離することにより、充填凹部１５内側に残存する若干の混合内容物Ｃは捨てることになるが、ハウジング２内部には空気が存在しない状態で主内容物Ａと補助内容物Ｂが混合された混合内容物Ｃのみが存在するようになる。
【００４６】
このようにハウジング２内部に位置する混合内容物Ｃは、空気との接触を根本的に防ぐことによって酸化及び腐敗による使用期間の短縮問題を防止でき、混合内容物Ｃの使用期間を最大限に延長することができる。
【００４７】
そして使用者がポンプ部材４を押してハウジング２内部に充填された混合内容物Ｃを排出させるごとに、ハウジング２内部には負圧が生じ、その負圧によってハウジング２下部の移動底７が排出された容積分上昇する。
【００４８】
【実施例３】
図２７はこの発明の第３の実施例を示す縦断面図である。本実施例では、主内容物充填手段３は前記各実施例と同じであるが、補助内容物Ｂを充填するのがハウジング２に代えて柔軟性を備えた容器３７、例えばチューブや袋状容器にした場合を示すもので、図では袋状容器としている。袋状容器の場合は、前記各実施例に示したようなハウジング２の中に収納するものとしてもよい。
【００４９】
チューブの場合は、それ自体が弾性力を有しており、押圧されても復元しようとするので、その際容器本体内に生ずる負圧よりも弱い復元力となるように素材の弾性力が低いものを選択する必要がある。
【００５０】
【発明の効果】
以上のように構成したこの発明の内容物混合構造を有する包装容器は、包装容器の主内容物と補助内容物を１つの包装容器において分離し互いに別に保管された状態で流通させ、必要時にのみ主内容物と補助内容物を互いに混合して使用することにより、製品の流通期間を延長させることができる。
【００５１】
また、ハウジング２内部への外部空気の流入を遮断することによって混合内容物Ｃが空気と接触して腐敗や酸化することを根本的に防止することができるので、混合後の消費期限の延長も期待できる。包装容器の内部に別に貯蔵された補助内容物を残すことなく完全に主内容物と混合して排出させられるので経済的に使用できると共に、製品の信頼性を向上させることができ、これによる環境汚染の発生を事前に予防できる効果がある。
【図面の簡単な説明】
【図１】  この発明の第１の実施例を表す縦断面図である。
【図２】  作動支持管の縦断面図である。
【図３】  その平面図である。
【図４】  その底面図である。
【図５】  主内容物充填管の縦断面図である。
【図６】  その平面図である。
【図７】  その底面図である。
【図８】  支持管の縦断面図である。
【図９】  その平面図である。
【図１０】  その底面図である。
【図１１】  流通時の主内容物充填管と作動支持管の位置を表す要部平面図である。
【図１２】  混合時の主内容物充填管と作動支持管の回動位置を表す要部平面図である。
【図１３】  使用する前の段階における主内容物と補助内容物の混合時の形態を表す縦断面図である。
【図１４】  使用時の形態を表す縦断面図である。
【図１５】  この発明の第２の実施例を示す縦断面図である。
【図１６】  作動支持管の平面図である。
【図１７】  その縦断面図である。
【図１８】  主内容物充填管の平面図である。
【図１９】  その縦断面図である。
【図２０】  ガスケットアダプタの平面図である。
【図２１】  その縦断面図である。
【図２２】  シリコンガスケットの平面図である。
【図２３】  その側面図である。
【図２４】  その縦断面図である。
【図２５】  使用する前の段階における主内容物と補助内容物の混合時の形態を表す縦断面図である。
【図２６】  使用時の形態を表す縦断面図である。
【図２７】  この発明の第３の実施例を示す縦断面図である。
【符号の説明】
１  包装容器
２  ハウジング
３  主内容物充填手段
４  ポンプ部材
５  キャップ
６  通孔
７  移動底
８  作動支持管
９  フランジ部
１０  流出孔
１１  混合通孔
１２  密閉リング
１３  突起
１４  主内容物充填管
１５  充填凹部
１６  管差込孔
１７  段付き部
１８  大径部
１９  突条
２０  開口部
２１  平面部
２２  支持管
２３  内径部
２４  ストッパ部
２５  外周部
２７  ガスケットアダプタ
２８  ガスケット
２９  結合孔
３０  結合突条
３１  作動通孔
３２  肉盛部
３３  引掛凹部
３４  差込孔
３５  流通孔
３６  引掛突起
３７  柔軟性容器本体
【図１】
0004400705.tif 000002
【図２】
0004400705.tif 000003
【図３】
0004400705.tif 000004
【図４】
0004400705.tif 000005
【図５】
0004400705.tif 000006
【図６】
0004400705.tif 000007
【図７】
0004400705.tif 000008
【図８】
0004400705.tif 000009
【図９】
0004400705.tif 000010
【図１０】
0004400705.tif 000011
【図１１】
0004400705.tif 000012
【図１２】
0004400705.tif 000013
【図１３】
0004400705.tif 000014
【図１４】
0004400705.tif 000015
【図１５】
0004400705.tif 000016
【図１６】
0004400705.tif 000017
【図１７】
0004400705.tif 000018
【図１８】
0004400705.tif 000019
【図１９】
0004400705.tif 000020
【図２０】
0004400705.tif 000021
【図２１】
0004400705.tif 000022
【図２２】
0004400705.tif 000023
【図２３】
0004400705.tif 000024
【図２４】
0004400705.tif 000025
【図２５】
0004400705.tif 000026
【図２６】
0004400705.tif 000027
【図２７】
0004400705.tif 000028